(57)【要約】      （修正有）【課題】移築のために分断され、移築地において複数段に積み上げられた煉瓦壁の内壁面を覆い隠すことなしにこれを支持する支持構造を提供する。【解決手段】移築地において複数段に積み上げられた板状の複数のピース１６、１６Ａからなる煉瓦壁１０の支持構造１２に係る。支持構造１２は煉瓦壁１０から間隔をおいてまた煉瓦壁１０に沿って互いに間隔をおいて配置された複数の柱２４と、互いに隣接する上段の複数のピース１６と下段の複数のピース１６Ａとの間に配置され上段の複数のピース１６と下段の複数のピース１６Ａとに固定された梁部材３０と、各柱２４に固定され各梁部材３０を片持ち支持する支持部材３２とを含む。【選択図】図１
2015158072.tif 000002
【特許請求の範囲】
【請求項１】
移築のために分断され、移築地において複数段に積み上げられた板状の複数のピースからなる煉瓦壁の支持構造であって、
前記煉瓦壁から間隔をおいてまた前記煉瓦壁に沿って互いに間隔をおいて配置された複数の柱と、
互いに隣接する上段の複数のピースと下段の複数のピースとの間に配置されかつ前記上段の複数のピースと下段の複数のピースとに固定された梁部材と、
各柱に固定され各梁部材を片持ち支持する支持部材とを含む、支持構造。
【請求項２】
前記梁部材は形鋼からなる、請求項１に記載の支持構造。
【請求項３】
前記梁部材は、前記上段の複数のピースと前記下段の複数のピースとの間に充填され前記上段の複数のピースと前記下段の複数のピースとを互いに結合する結合剤を介して、前記上段の複数のピースと前記下段の複数のピースとに固定されている、請求項１に記載の支持構造。
【請求項４】
前記煉瓦壁はアーチを有するものからなり、
前記複数のピースの内の１つのピースは前記アーチを規定する下面を有し、
前記支持構造は、さらに、前記１つのピースの下面に接しかつ該下面に沿って伸びる鋼製の帯板と、前記１つのピースを上下方向に貫通する互いに平行な複数の鋼棒であって前記帯板と前記１つのピース上に位置する前記梁部材とに結合された複数の鋼棒とを含む、請求項１に記載の支持構造。
【請求項５】
さらに、各ピースを上下方向に貫通する互いに平行な複数の鋼棒であって前記移築地の地盤又は下方に位置する梁部材に固定された下端部と、上方に位置する梁部材を経て伸びかつナットが螺合された上端部とを有する複数の鋼棒を含む、請求項１に記載の支持構造。
【発明の詳細な説明】
【技術分野】
【０００１】
本発明は、文化遺産のひとつである煉瓦造りの建物についての移築時における支持構造、より詳細には当該建物の外壁についての支持構造に関する。
【背景技術】
【０００２】
従来、煉瓦造りの建物を歴史的遺産として保存するため、これを解体し、移築することが行われている（後記非特許文献１参照）。
【０００３】
本発明は、移築された煉瓦造りの建物の外壁(煉瓦壁)についてこれを直立状態に支持するための支持構造に向けられている。煉瓦壁は解体時に板状の複数のピースに分断され、これらの複数のピースは移築地において元通りに積み上げられ、さらにその屋内側に配置された支持構造により直立状態に支持される。これにより、元通りの外観を呈する外壁面（屋外側の面）を有する煉瓦壁が復元される。
【０００４】
従来、復元された煉瓦壁の支持構造として、該煉瓦壁から間隔をおいてまた互いに間隔をおいて配置された複数の柱と、前記煉瓦壁の上下に隣接する２つのピースに固定され水平方向に伸びる胴縁と、各柱に前記胴縁を片持ち支持するための支持部材とを備えるものがある。これによれば、前記胴縁とこれに接続された前記支持部材とを介して、前記煉瓦壁が直立するように前記柱に支持される。
【先行技術文献】
【非特許文献】
【０００５】
【非特許文献１】野中、「熊本学園大学産業資料館（旧月星化成(株)熊本工場電気室）の解体移築について」、建材フォーラム、株式会社工文社、２００４年１２月、ｐ．１６−１９）
【発明の概要】
【発明が解決しようとする課題】
【０００６】
ところで、移築された煉瓦造りの建物は文化財、資料館、博物館といった新たな用途に供されることがある。移築後の建物がこのような用途に用いられるときは、その煉瓦壁の屋内側の面である内壁面が見学者や来館者の目に触れることとなる。したがって、内壁面もまた外壁面と同様に元通りの外観を呈することが望ましい。しかし、前記支持構造の従来例にあっては、これを構成する複数の胴縁が前記煉瓦壁の内壁面の一部を覆い隠すという難点がある。
【０００７】
本発明は、移築された煉瓦壁の内壁面を覆い隠すことなしにこれを支持する支持構造を提供することにある。
【課題を解決するための手段】
【０００８】
本発明は、移築のために分断され、移築地において複数段に積み上げられた板状の複数のピースからなる煉瓦壁の支持構造に係り、該支持構造は前記煉瓦壁から間隔をおいてまた前記煉瓦壁に沿って互いに間隔をおいて配置された複数の柱と、互いに隣接する上段の複数のピースと下段の複数のピースとの間に配置されかつ上下両段の複数のピースに固定された梁部材と、各柱に固定され各梁部材を片持ち支持する支持部材とを含む。前記梁部材は例えば形鋼からなる。
【０００９】
本発明によれば、煉瓦壁は梁部材と、該梁部材を片持ち支持する支持部材とを介して、複数の柱に直立状態に支持される。本発明にあっては、前記梁部材は前記上段の複数のピースと下段の複数のピースとの間の部分である継ぎ目にあり、前記複数のピースの表側の面及び裏側の面のいずれにも現れない。このことから、各段の複数のピースの表裏両面がそれぞれ規定する前記煉瓦壁の外壁面及び内壁面は、いずれも、前記梁部材によって覆われるところがなく、元通りの外観を呈する。
【００１０】
前記梁部材は、前記上段の複数のピースと前記下段の複数のピースとの間に充填され前記上段の複数のピースと前記下段の複数のピースとを互いに結合する結合剤を介して、前記上段の複数のピースと前記下段の複数のピースとに固定することができる。
【００１１】
前記煉瓦壁がアーチを有する場合、前記複数のピースの内の１つのピースが前記アーチを規定する下面を有する。このような煉瓦壁にあっては、前記支持構造は、さらに、前記１つのピースの下面に接しかつ該下面に沿って伸びる鋼製の帯板と、前記１つのピースを上下方向に貫通する互いに平行な複数の鋼棒であって前記帯板と前記１つのピース上に位置する前記梁部材とに結合された複数の鋼棒とを含む。
【００１２】
これによれば、前記帯板及び前記梁部材の間に前記１つのピースを保持することができ、これにより前記１つのピースの下面を構成する複数丁の煉瓦の一部の落下及びこれに伴う前記１つのピースの崩壊を防止することができる。ここにおいて、前記帯板は前記１つのピースの下面に沿って伸びていることから、前記帯板は前記１つのピースの表裏両面のいずれにも現れない。
【００１３】
前記支持構造は、さらに、各ピースを上下方向に貫通する互いに平行な複数の鋼棒であって前記移築地の地盤又は下方に位置する梁部材に固定された下端部と、上方に位置する梁部材を経て伸びかつナットが螺合された上端部とを有する複数の鋼棒を含むものとすることができる。
【００１４】
これによれば、ナットの締め付けにより、各ピースを上下方向に圧迫することができ、これにより、解体及び移築地への運搬を経て脆弱化している各ピースを構成する複数丁の煉瓦の一体性をより強固に維持することができる。
【図面の簡単な説明】
【００１５】
【図１】移築された煉瓦壁及びこれを支持する支持構造の一部を示す斜視図である。
【図２】（ａ）、（ｂ）及び（ｃ）は、それぞれ、上段の複数のピース及び下段の複数のピース間に配置された梁部材の３つの例についての端面形状を示す部分側面図である。
【図３】煉瓦壁の外壁面の一部示す立面図であってアーチを規定するピース内部を透視して示す立面図である。
【図４】他の例に係る煉瓦壁の外壁面の一部を示す立面図であってその内部の一部分を透視して示す立面図である。
【発明を実施するための形態】
【００１６】
図１を参照すると、移築された煉瓦造りの建物の外壁（煉瓦壁）１０の一部と、該煉瓦壁をその屋内側において直立状態に支持する支持構造１２とが示されている。
【００１７】
煉瓦壁１０は、その移築前の元の煉瓦壁を分断して得られた板状の複数のピース１６からなる。複数のピース１６は、移築地の地盤１４上に複数段に積み上げられており、互いに上下に隣接する複数のピース１６、すなわち上段に位置しかつ水平方向に並ぶ複数のピース１６と、その直下の下段に位置しかつ水平方向に並ぶ複数のピース１６とが、それぞれ、水平な対向面１８、２０を規定する。ここにおいて、各ピース１６は、互いに結合された複数丁の煉瓦及び煉瓦片を含む。
【００１８】
図示の例において、煉瓦壁１０は複数のアーチＡを有するところ、その内の１つのアーチＡのみが示されている。煉瓦壁１０を構成する複数のピース１６はその内の１つのピースを除いて全体に矩形の立面形状を有し、前記１つのピースはアーチＡを規定する湾曲した下面２２を有する。下面２２を有する前記１つのピースを他の複数のピースと区別するため、便宜上、これに符号１６Ａを付す。なお、支持構造１２は、前記アーチを有しない煉瓦壁についても同様に適応可能である。
【００１９】
支持構造１２は、地盤１４に建て込まれた複数の柱２４を備える。これらの柱２４は、煉瓦壁１０から間隔をおいて、より詳細には煉瓦壁１０の内壁面２６から屋内側に間隔をおいて、また、煉瓦壁１０に沿って互いに間隔をおいて配置されている。互いに隣接する２つの柱２４は煉瓦壁１０に沿ってこれと平行に伸びる梁２８により互いに連結されている。図示の例において、柱２４は角形の鋼管からなり、また、梁２８はＨ形鋼からなる。
【００２０】
支持構造１２は、さらに、上段の複数のピース１６と下段の複数のピース１６との間、すなわちこれらの対向面１８，２０間に配置されかつ上下両段の複数のピース１６に挟持され水平方向に伸びる梁部材３０と、各柱２４に固定され各梁部材３０を片持ち支持する支持部材３２とを有する。煉瓦壁１０は、これと一体をなす各梁部材３０において、各支持部材３２を介して、各柱２４に直立状態に支持される。
【００２１】
梁部材３０は形鋼からなる。図１に示す梁部材３０は、これを図２（ａ）に拡大して示すように、Ｔ形の横断面形状を有する。前記Ｔ形の形鋼はこれを構成する水平部３０ａが上下両段の複数のピース１６の両対向面１８，２０間にあり、また、その垂直部３０ｂが、下段の複数のピース１６に形成されこれらの厚さ方向におけるほぼ中央部を水平方向に伸びる溝３４内に受け入れられている。
【００２２】
梁部材３０は、上下両段の複数のピース１６の対向面１８，２０間に充填され上下両段の複数のピース１６を相互に結合するモルタルのような結合剤３６を介して、上下両段の複数のピース１６に固定されている。上下両段の複数のピース１６の対向面１８，２０間に位置する梁部材３０は、上下両段の複数のピース１６相互の継ぎ目すなわち目地の一部を構成し、煉瓦壁１０の内壁面２６及び外壁面（屋外側の面）３８のいずれの外観をも損なわない。加えて、この例においては、対向面１８、２０間の隙間が結合剤３６で埋められるため、梁部材３０は露出しない。
【００２３】
梁部材３０は、前記Ｔ形の横断面を有する形鋼に代えて、例えばＨ形鋼からなるもの（図２（ｂ））、溝形鋼からなるもの（図２（ｃ））等とすることができる。
【００２４】
図２（ｂ）を参照すると、Ｈ形鋼からなる梁部材３０の配置のため、上段の複数のピース１６の下端部がその表裏両面側の一部分において切除され、その対向面１８が下方を向く凸面からなり、また、下段の複数のピース１６の上端部がその表裏両面側の一部分において切除され、その対向面２０が上方を向く凸面からなる。Ｈ形鋼からなる梁部材３０は、その両フランジ３０ｃとそのウエブ３０ｄとが規定する空間に、上下両段の複数のピース１６の対向面１８の突出部分及び対向面２０の突出部分をそのウエブ３０ｄに向けて受け入れるように配置されている。両対向面１８、２０間の隙間は、同様に、結合剤３６で埋められている。この例においては、さらに、前記隙間に複数のピース１６の前記切除された一部分４０、４２が戻されかつ結合剤３６を介して上下両段の複数のピース１６に固定され、これらの一部分４０、４２により、前記目地の一部が覆われている。
【００２５】
次に、図２（ｃ）を参照すると、この例では、溝形鋼からなる梁部材３０の配置のため、上段の複数のピース１６の下端部が該下端部の表裏両面側の一部分において切除され、その対向面１８が下方を向く凸面とされている。溝形鋼からなる梁部材３０は、その内部に上段の複数のピース１６の対向面１８の突出部分を受け入れるように、上下両段の複数のピース１６間に配置されている。両対向面１８、２０間の隙間は、同様に、結合材３６で埋められている。この例では、前記隙間に上段の複数のピース１６の前記切除された一部分４０が戻されかつ結合剤３６を介して上下両段の複数のピース１６に固定され、この一部分４０により、前記目地の一部が覆われている。なお、前記凸面の形成対象を上段の複数のピース１６とする図示の例に代えて下段の複数のピース１６とし、かつ、前記溝形鋼の開放面を上方に向けて配置する図示の例に代えて下方に向けて配置することができる。すなわち、下段の複数のピース１６の上端部に上方を向く凸面からなる対向面を設け、また、溝形鋼からなる梁部材３０が、その内部に下段の複数のピース１６の前記対向面の突出部分を受け入れるものとすることができる（図示せず）。
【００２６】
再び図１を参照すると、梁部材３０を各柱２４に片持ち支持する支持部材３２は、好ましくは、鋼製の板状片からなる。支持部材３２を構成するこの板状片は、梁部材３０と各柱２４との間に水平に配置され、その一部が上下両段の複数のピース１６間に伸び、梁部材３０に固定され、また、他の一部が柱２４に固定されている。煉瓦壁１０は、複数の支持部材３２を介して、煉瓦壁１０を構成する複数のピース１６に挟持され、あるいは、さらに固定された複数の梁部材３０において、複数の柱２４に片持ち支持され、これにより、直立状態に維持されている。
【００２７】
ところで、煉瓦壁１０がアーチＡを有する図示の例にあっては、アーチＡを規定するピース１６Ａの下面２２が、他のピース１６のいずれにも接することなく、地盤１４に対してその上方において相対する状態にある。このため、この例にあっては、ピース１６Ａの下面２２を規定する複数丁の煉瓦（図示せず）が落下する可能性がある。
【００２８】
これを防止するため、図示の支持構造１２は、さらに、ピース１６Ａの下面２２に接しかつ該下面に沿って伸びる鋼製の帯板４４と、ピース１６Ａを上下方向に貫通する互いに平行な複数の鋼棒４６とを含む。各鋼棒４６はその上下両端部において、下段に並ぶ複数のピース１６の内の一部なすピース１６Ａ上に位置する梁部材３０と帯板４４とに結合されている（図３参照）。図示の例では、鋼棒４６の上端部が梁部材３０を貫通し、該上端部にナット４８が螺合されており、また、その下端部が帯板４４に溶接されている。
【００２９】
これによれば、帯板４４と梁部材３０の間にピース１６Ａを保持し、あるいは、ナット４８の締め付けにより帯板４４と梁部材３０の間にピース１６Ａを上下方向に圧迫した状態におくことができる。帯板４４はピース１６Ａの下面２２上を伸びており、ピース１６Ａの表裏両面したがって内外両壁面２６、３８のいずれの外観をも損なわない。
【００３０】
また、支持構造１２は、図４に示すように、ピース１６Ａについての帯鋼４４及び鋼棒４６に加えて、あるいは、さらに、ピース１６Ａについての帯鋼４４及び鋼棒４６の有無に拘わらず、ピース１６Ａを除く各ピース１６を上下方向に貫通する互いに平行な複数の鋼棒５０を含むものとすることができる。ここにおいて、鋼棒５０は、最下段のピース１６については地盤１４に固定された下端部と、前記ピース上に位置する梁部材３０を経て伸び、ナット５２が螺合された上端部とを有する。また、前記最下段より上方に位置するピース１６については該ピースの下方に位置する梁部材３０に固定された下端部と、前記ピース上に位置する梁部材３０を経て伸びかつナット５２が螺合された上端部とを有する。
【００３１】
これによれば、ナット５２をねじ込むことにより、各ピース１６にその上方に位置する梁部材３０と地盤１４との間で、及び、上下に位置する２つの梁部材３０間で圧縮力を及ぼすことができる。これにより、解体及び移築地への運搬を経て脆弱化している各ピース１６を構成する複数丁の煉瓦の一体性をより強固に維持することができる。
【符号の説明】
【００３２】
１０  煉瓦壁
１２  支持構造
１６  ピース
１６Ａ  アーチを規定するピース
２２  アーチを規定するピースの下面
２４  柱
２６、３８  内壁面及び外壁面
３０  梁部材
３２  支持部材
３６  上段の複数のピースと下段の複数のピースとの間の隙間
４４  帯板
４６  鋼棒
４８  ナット
５０  鋼棒
５２  ナット
【図１】
2015158072.tif 000003
【図２】
2015158072.tif 000004
【図３】
2015158072.tif 000005
【図４】
2015158072.tif 000006